(57)【要約】【課題】  筋肉の凝りを解消し血液の循環を促進するためのゲルマニウム粒子と磁気を帯びた永久磁石の磁性体、ラジウム、セラミック等から選択される鉱物性の粒子を組み合わせることにより、より効率的にマイナスイオン効果や温熱効果を得られる布団用素材を提供する【解決手段】  平板状のフォーム体から形成される基材１の一面または両面に適宜間隔をおいて、ゲルマニウム粒子２と、永久磁石の磁性体、ラジウム、セラミック等から選択される鉱石類の粒子３とを組み合わせて融着剤４を介して略整列状に取付けられるものである。【選択図】図１
0003131389.tif 000002
【実用新案登録請求の範囲】
【請求項１】
平板状のフォーム体から形成される基材の一面または両面に適宜間隔をおいて、ゲルマニウム粒子と、永久磁石の磁性体、ラジウム、セラミック等から選択される鉱石類の粒子を組み合わせて融着材を介して略整列状に取付けられる布団用素材。
【請求項２】
前記ゲルマニウム粒子または使用される融着剤を、他の選択される鉱石類の粒子または融着材と異なる色彩を用いる請求項１記載の布団用素材。
【請求項３】
前記ゲルマニウム粒子と他の選択される鉱石類の粒子を有する基材を布団構成部材の上部材と下部材の中間部分に着脱可能に装着してなる請求項１及び２のいずれかに記載の布団用素材。
【考案の詳細な説明】
【技術分野】
【０００１】  本考案は血行をよくし、筋肉の凝りを解消し血液の循環を促進するためのゲルマニウム粒子とマイナスイオン効果や温熱効果の高い磁気を帯びた永久磁石等の他の鉱物性の粒子等を組み合わせてなる布団用素材に関するものである。
【背景技術】
【０００２】  従来身体には凝りや血液の循環に支障をきたす等の様々の症状がみられ、これらの症状には永久磁石の磁気を利用して血行をよくして筋肉を解したり、遠赤外線を放射する鉱石類を用いて血液の循環を促進したりしたものがあり、これらの鉱石類は、加熱溶融型の合成樹脂からなる接着剤を介して敷布団その他の着衣に取付けられている。
【考案の開示】
【考案が解決しようとする課題】
【０００３】
【０００４】  上記の如く、従来布団あるいは着衣に用いられているこれらの磁石やセラミック等の各種鉱石類は、その単体をボール状あるいはチップ状の小片として各種の固着手段で取付けられている。【０００５】  しかしながら、人はそれぞれ冷え症、神経痛、胃腸不良、筋肉の凝りや疲労を抱えているが、その症状や度合いは各自によって異なり、また、体質その他により必ずしも特定の鉱石のもつホルミシス作用、マイナスイオン作用、遠赤外線作用が、上記症状あるいはその他の症状に対して等しく効果があるとは限らない。【０００６】  本考案は、筋肉の凝りを解消し血液の循環を促進するためのゲルマニウム粒子と磁気を帯びた永久磁石の磁性体、ラジウム、セラミック等から選択される鉱物性の粒子を組み合わせることにより、より効率的にマイナスイオン効果や温熱効果を得られる布団用素材を提供するものである。
【課題を解決するための手段】
【０００７】  本考案に係る布団用素材は、平板状のフォーム体から形成される基材の一面または両面に適宜間隔をおいて、ゲルマニウム粒子と永久磁石の磁性体、ラジウム、セラミック等から選択される鉱物性の粒子を組み合わせて融着材を介して略整列状に取付けられるものである。【０００８】  前記ゲルマニウム粒子または使用される融着材を、他の選択される鉱石類の粒子または融着材と異なる色彩を用いるものである。【０００９】  前記ゲルマニウム粒子と他の選択される鉱石類の粒子を有する基材を布団構成部材の上部材と下部材の中間部分に着脱可能に装着してなるものである。
【考案の効果】
【００１０】  本考案に係る布団用素材によれば、基材の一面または両面にゲルマニウム粒子と、永久磁石の磁性体、ラジウム、あるいはセラミック等から選択される鉱石類の粒子とを組み合せることにより、効率的にマイナスイオン効果や温熱効果を得られることができる。【００１１】  また、ゲルマニウム粒子または使用される融着材を、ゲルマニウム粒子と他の選択される鉱物性の粒子または融着材と異なる色彩とすることによって、ゲルマニウム粒子と他の鉱石類の粒子との使用の有無やその配列状態を使用者が容易に目視によって確認し、判別することができる。【００１２】  ゲルマニウム粒子と他の選択粒子を有する基材を、布団構成部材の上部材と下部材の中間部分に着脱可能に装着してなることにより、布団素材によりクッション性と保温性を高めることができる。
【考案を実施するための最良の手段】
【００１３】  図１は、本考案に係る布団用素材の断面構造を示す略示図、図２は、ゲルマニウムと他の選択粒子の配置状態を示す平面略示図、図３はヒーターを取り付ける下部材の平面図である。
【００１４】  本考案に係る布団用素材は、平板状のフォーム体から形成される基材１の一面または両面に適宜間隔をおいて、ゲルマニウム粒子２と、永久磁石の磁性体、ラジウム、セラミック等から選択される少なくともひとつの鉱石類の粒子３を組み合わせて融着材４を介して略整列状に取付けられ、その表裏面には薄い透明性を有するシート５で被覆され、ゲルマニウム粒子２や他の鉱石類の粒子３と直接肌が触れないように形成されている。
【００１５】  基材１は、ポリエステル、ポリエチレンあるいはポリウレタン等の軽量かつへたり等が生じない耐久性に富み、保温性に優れたフォーム体が用いられ、また、その表面を凹凸として無圧状に形成される平面視略長方形体とするものである。
【００１６】  この実施例では、基材１の一面または両面の略中央部付近の凹部６…６には、４個のゲルマニウム粒子２と、このゲルマニウム粒子２を囲繞するように３８個の磁気を発生する永久磁石の磁性体からなる鉱石類の粒子３を、ゲルマニウム粒子２や磁性体からなる粒子３より大径とするホットメルトタイプのシート状の融着材４を介して幅方向又は長さ方向に整列状に配列固着されている。
【００１７】  なお、４個のゲルマニウム粒子２と、３８個の磁気を発生する永久磁石からなる鉱石類の粒子３を用いたもので説明したが、ゲルマニウム粒子２の使用される数はとくに限定されないが、４ないし１０個の範囲内が望ましく、また、選択される鉱石類の粒子３は永久磁石の磁性体以外、ラジウム、セラミック等その健康状態等により選択されるものであり、またその形状は粒状以外に球状や円盤状、円錐状、半円状等のものが使用に供される。
【００１８】  ゲルマニウム粒子２と、永久磁石の磁性体、ラジウム、セラミック等から選択される鉱石類の粒子３を有する基材１は、布団構成部材である上下部材７、８の中間部分に着脱可能に配置されるもので、適宜ゲルマニウム粒子２の数や他の鉱石類の粒子３の変更あるいは配列したものを選択することができる。なお、就寝中にゲルマニウム粒子２等を備えた基材１がずれないように固定するものであってもよい。
【００１９】  布団構成部材である上下部材７、８は、図１に示すように、ポリエステル、セラミック等の綿を用いた芯材９と表地１０及び裏地１１をキルティング加工１２して製せられる。
【００２０】  基材１及び上下部材７、８はそれぞれその周囲を縁加工され、上下部材７、８間に基材１を着脱可能に配置されたのち全周をファスナーにより一体化されている。
【００２１】  さらに、下部材８にはその下端側に両端を開口状とする筒状のヒーター挿入部１３が設けられ、ヒーター１４が着脱自在に取り付けられている。
【図面の簡単な説明】
【００２２】
【図１】  本考案に係る布団用素材の断面構造を示す略示図である。
【図２】  ゲルマニウム粒子と他の鉱石類の粒子の配置状態を示す平面略示図である。
【図３】  ヒーターを取り付ける下部材の平面図である。
【符号の説明】
【００２３】  １    基材
２    ゲルマニウム粒子
３    鉱石類の粒子
４    融着材
５    シート
６    基材１の凹部
７    上部材
８    下部材
９    上下部材７、８の芯材
１０  上下部材７、８の表地
１１  上下部材７、８の裏地
１２  キルティング加工
１３  ヒーター挿入部
１４  ヒーター
【図１】
0003131389.tif 000003
【図２】
0003131389.tif 000004
【図３】
0003131389.tif 000005